(57)【要約】【課題】装置の小型化を図ることができる蛍光体ホイール１を用いた光源装置３を提供する。【解決手段】光源装置は、蛍光体ホイール１と、光源（半導体レーザー光源３０１）と、色分離合成素子（波長選択性ミラー３０６）と、導光系と、を備える。蛍光体ホイール１は、中心を対称点として円環状にかつ点対称に設けられた一対の光通過部を有する基板と、円環状の領域に設けられた蛍光体部と、基板を回転駆動するモータと、を有する。色分離合成素子は、光源と蛍光体ホイールの間に配置され、光源からの光が蛍光体部を照射して波長変換された蛍光の進行方向を変更する。導光系は、光源からの光が、蛍光体ホイールにおける一対の光通過部の一方の光通過部を通過後に他方の光通過部を通過し、色分離合成素子に入射するように設けられる。【選択図】図４
2020046654.tif 000002
【特許請求の範囲】
【請求項１】
中心を対称点として円環状にかつ点対称に設けられた一対の光通過部を有する基板と、前記基板に円環状に設けられた蛍光体部と、前記基板を回転駆動するモータと、を有する蛍光体ホイールと、
光源と、
前記光源と前記蛍光体ホイールの間に配置され、前記光源からの光が前記蛍光体部を照射して波長変換された蛍光の進行方向を変更する色分離合成素子と、
前記光源からの光が、前記蛍光体ホイールにおける前記一対の光通過部の一方の光通過部を通過後に他方の光通過部を通過し、前記色分離合成素子に入射するように設けられた導光系と、
を備える、光源装置。
【請求項２】
カラーフィルタ領域及び全波長透過領域を有し、前記蛍光体ホイールと同期して回転する、カラーホイールをさらに備える、
請求項１に記載の光源装置。
【請求項３】
請求項１に記載の光源装置を備えた投写型映像表示装置。
【発明の詳細な説明】
【技術分野】
【０００１】
本開示は、蛍光体ホイールを用いた投写型映像表示装置の光源装置に関する。
【背景技術】
【０００２】
蛍光体ホイールを用いて異なる波長領域の光を時分割で出射し、白色の光を出射する光源装置については、例えば特許文献１に記載されている。
【先行技術文献】
【特許文献】
【０００３】
【特許文献１】特開２０１４−１６０２３３号公報
【発明の概要】
【発明が解決しようとする課題】
【０００４】
本開示は、装置の小型化を図った蛍光体ホイールを用いた光源装置を提供する。
【課題を解決するための手段】
【０００５】
本開示における光源装置は、蛍光体ホイールと、光源と、色分離合成素子と、導光系と、を備える。蛍光体ホイールは、中心を対称点として点対称にかつ円環状に設けられた一対の光通過部を有する基板と、円環状の領域に設けられた蛍光体部と、基板を回転駆動するモータと、を有する。色分離合成素子は、光源と蛍光体ホイールの間に配置され、光源からの光が蛍光体部を照射して波長変換された蛍光の進行方向を変更する。導光系は、光源からの光が、蛍光体ホイールにおける一対の光通過部の一方の光通過部を通過後に他方の光通過部を通過し、色分離合成素子に入射するように設けられる。
【発明の効果】
【０００６】
本開示における蛍光体ホイールを用いた光源装置は、装置の小型化を図るのに有効である。
【図面の簡単な説明】
【０００７】
【図１Ａ】実施の形態１の光源装置に用いる蛍光体ホイールの構成を示す平面図
【図１Ｂ】実施の形態１の光源装置に用いる蛍光体ホイールの構成を示す要部断面図
【図２】カラーホイールの構成を示す正面図
【図３】カラーホイールから出射される色光を説明するための図
【図４】実施の形態１の光源装置の構成を示す図
【図５】実施の形態１の光源装置を用いた投写型映像表示装置の構成を示す図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面及び以下の説明は、当業者が本開示を十分に理解するために提供されるのであって、これらにより特許請求の範囲に記載の主題を限定することは意図されていない。
【００１０】
（実施の形態１）
[１−１−１．光源装置の構成]
まず、実施の形態１に係る光源装置に使用される蛍光体ホイールの構成について詳細に説明する。
【００１１】
図１Ａは、実施の形態１における蛍光体ホイールの構成を示す平面図であり、図１Ｂは、実施の形態１における蛍光体ホイールの構成を示す要部の断面図である。
【００１２】
蛍光体ホイール１は、図１Ａに示す通り、円盤状の基板１０１には、その回転中心Ｏから同一半径の円周方向上の点対称の位置に同一角度（θ１）の２つの開口部１０５ａと開口部１０５ｂが設けられている。
【００１３】
蛍光体ホイール１の基板１０１の開口部１０５ａ，１０５ｂと同一半径上に存在する２つの非開口部には、それぞれ、後述する励起光源である半導体レーザー光源３０１（図４参照）からの光を波長変換して互いに異なる波長領域の光を発光する蛍光体層１０２ａと蛍光体層１０３ａ、及び互いに異なる波長領域の光を発光する蛍光体層１０２ｂと蛍光体層１０３ｂが、接着層１０４で接着されて設けられている。
【００１４】
このように、同一形状の開口部１０５ａと開口部１０５ｂ、同一形状の蛍光体層１０２ａと蛍光体層１０２ｂ、同一形状の蛍光体層１０３ａと蛍光体層１０３ｂが、基板１０１の円周方向の円環状の領域に設けられることになる。すなわち、基板の中心を対称点として基板の円環状の領域内に点対称に開口部１０５ａと開口部１０５ｂが設けられている。開口部１０５ａ、１０５ｂは光通過部の一例である。また、実施の形態１では、蛍光体層１０２ａと蛍光体層１０２ｂ、及び蛍光体層１０３ａと蛍光体層１０３ｂも同様に基板の中心を対称点として基板の円環状の領域内に点対称に設けられる。開口部、蛍光体層が設けられた基板１０１には、基板の回転中心Ｏを軸として回転駆動するモータ１０６が取付けられ、蛍光体ホイール１として構成される。
【００１５】
蛍光体ホイール１の要部の断面図である図１Ｂに示されるように、蛍光体層１０２ａ、１０２ｂは、蛍光体粒子１２１をリングの一部を形成するように焼成して作成されたもので、その一方の面に反射防止膜１２２が形成されている。蛍光体層１０２ａ、１０２ｂは、後述する半導体レーザー光源３０１で励起され、黄色波長域の蛍光を発光する。蛍光体層１０３ａ、１０３ｂは、蛍光体層１０２ａ、１０２ｂと同様の断面構造であり、後述する半導体レーザー光源３０１で励起され、緑色波長域の蛍光を発光する。
【００１６】
反射防止膜１２２は、誘電体多層膜で構成されており、後述する半導体レーザー光源３０１からの励起光と、励起光が蛍光体粒子１２１を励起して波長変換されて出射する蛍光の波長域での入出射の表面反射ロスを最小にするように最適化されて設けられている。
【００１７】
また、基板１０１には、反射膜１１１が形成されている。反射膜１１１は、例えば、アルミニウム、銀、もしくは銀合金などの反射膜と、その両側を保護膜で挟持した多層膜で、半導体レーザー光源３０１からの光の波長域と、蛍光体粒子１２１が半導体レーザー光源３０１からの光が波長変換されて出射した蛍光の波長域での反射率が最大化するように最適化されている。
【００１８】
蛍光体層１０２ａ、１０２ｂ、蛍光体層１０３ａ、１０３ｂは、熱伝導率と反射率を向上させる含有粒子１４１がシリコーンで充填された接着層１０４で、蛍光体ホイール１の回転軸に軸（点）対称になるように反射膜１１１が形成された基板に接着されている。含有粒子１４１としては、酸化チタンや酸化アルミニウム、酸化亜鉛などが使用できる。
【００１９】
また、図１Ｂでは、蛍光体粒子１２１を焼結した蛍光体層１０２ａを接着層１０４で反射膜１１１が形成された基板１０１に接着した例を開示しているが、それとは異なる構成で、基板１０１上に、蛍光体粒子１２１をシリコーンに充填し蛍光体層１０２ａを形成しても良い。また、蛍光体粒子１２１をシリコーンに充填した蛍光体層１０２ａと基板１０１との間に、熱伝導率と反射率を向上させる含有粒子１４１がシリコーンに充填された接着層１０４を設けても良い。
【００２０】
また、図１Ａ及び図１Ｂに示す蛍光体ホイール１では、光を透過しない基板１０１に光通過部として開口部１０５ａ、１０５ｂを設けた例を開示しているが、基板１０１に代えて光を透過する透明基板を用いて光通過部を構成することもできる。すなわち、透明基板を用いる場合は、蛍光体層１０２ａ、１０２ｂ、１０３ａ、１０３ｂが設けられる領域に対応する透明基板上の層構成は図１Ｂに示すものと同様であるが、開口部１０５ａ、１０５ｂに対応する領域には反射膜１１１を形成しないことにより光通過部を構成することができる。
【００２１】
図２は、実施の形態１に係るカラーホイールの構成図である。
【００２２】
カラーホイール２は、赤色光透過領域２０１ａ、２０１ｂ及び全波長透過領域２０２ａ、２０２ｂを有するガラス基板２００と、ガラス基板２００を回転駆動するモータ２０３と、を有する。ガラス基板２００上の赤色光透過領域２０１ａ、２０１ｂには、赤色波長域の光のみを透過する特性を持つように最適化された誘電体多層膜が形成されている。全波長透過領域２０２ａ、２０２ｂは、全波長域の光の透過率を最大化するように最適化されたガラス基板２００上の領域である。赤色光透過領域２０１ａ、２０１ｂ及び全波長透過領域２０２ａ、２０２ｂは、それぞれカラーホイール２の回転中心を対称点として点対称に形成されている。赤色光透過領域２０１ａ、２０１ｂは、カラーフィルタ領域の一例である。
【００２３】
なお、蛍光体ホイール１とカラーホイール２は図示されていない同期回路によって、同期が取られるようになっており、図１Ａと図２を中心線で重ね合わせた状態における位相で回転する。
【００２４】
次に、実施の形態１の光源装置について、図４を参照しながら説明する。図４は実施の形態１に係る光源装置の構成を示す図である。
【００２５】
図４に示されるように、実施の形態１に係る光源装置３は、蛍光体ホイール１とカラーホイール２を備える。蛍光体ホイール１とカラーホイール２の詳細については、既に説明済みのためここでの説明は省略する。
【００２６】
図４に示されるように、実施の形態１に係る光源装置３は、蛍光体ホイール１と複数の半導体レーザー光源３０１とを備える。半導体レーザー光源３０１は青色波長域の励起光源の一例である。
【００２７】
光源装置３は、また、複数のコリメータレンズ３０２、凸レンズ３０３、拡散板３０４、凹レンズ３０５、波長選択性ミラー３０６、及び凸レンズ３０７、３０８を備える。これらの光学部品は、半導体レーザー光源３０１からの出射光を蛍光体ホイール１に導光する光学系の一例である。
【００２８】
複数の半導体レーザー光源３０１のそれぞれから出射された青色波長域の光は、半導体レーザー光源３０１の出射側に配置されたコリメータレンズ３０２により平行光化される。複数のコリメータレンズ３０２の出射側には、コリメータレンズ３０２から出射される半導体レーザー光源３０１の光をまとめて光束幅を小さくする凸レンズ３０３が配置される。凸レンズ３０３によって光束幅が小さくなった光は凸レンズ３０３の出射側に配置された拡散板３０４に入射する。拡散板３０４では、凸レンズ３０３によって解消しきれなかった光束の不均一状態を低減する。
【００２９】
拡散板３０４から出射した光は、凹レンズ３０５に入射する。凹レンズ３０５は、拡散板３０４から出射した光を平行光化する。
【００３０】
凹レンズ３０５から出射された平行光化された光は、凹レンズ３０５の出射側に配置された波長選択性ミラー３０６に入射する。波長選択性ミラー３０６は、光軸に対して４５度の角度で配置されており、半導体レーザー光源３０１から出射された青色波長域の光を透過し、半導体レーザー光源３０１の光が蛍光体ホイール１の蛍光体層１０２ａ、１０２ｂ、１０３ａ、１０３ｂを励起し波長変換された波長域の光を反射する特性を有している。したがって、波長選択性ミラー３０６に入射した、凹レンズ３０５から出射された光は波長選択性ミラー３０６を透過する。波長選択性ミラー３０６を透過した半導体レーザー光源３０１の波長域の光は、凸レンズ３０７、３０８の順に入射することで、光束が収束した状態で蛍光体ホイール１に入射する。波長選択性ミラー３０６は色分離合成素子の一例である。
【００３１】
蛍光体ホイール１は、蛍光体層１０２ａ、１０２ｂ、１０３ａ、１０３ｂ、もしくは開口部１０５ａ、１０５ｂが凸レンズ３０８、または凸レンズ３１６に対向するように配置されている。蛍光体ホイール１は、図１Ａに図示されているようにモータ１０６によって回転中心Ｏを中心に矢印Ａ方向に回転するため、時系列で半導体レーザー光源３０１の励起光が蛍光体層、開口部を順次照射し。蛍光体層と開口部の一点に集中的に励起光が照射されることが抑制される。
【００３２】
まず、凸レンズ３０７及び凸レンズ３０８によって収束した半導体レーザー光源３０１の光が、時系列で蛍光体層１０２ａ、１０２ｂ、１０３ａ、１０３ｂを照射する場合を、以下に説明する。
【００３３】
蛍光体層１０２ａ、１０２ｂ、１０３ａ、１０３ｂに入射した半導体レーザー光源３０１からの励起光は、蛍光体層で波長変換される。すなわち、半導体レーザー光源３０１からの光は励起光と波長域が異なる蛍光に変換される。また、蛍光体層１０２ａ、１０２ｂ、１０３ａ、１０３ｂから出射される光の波長域は、半導体レーザー光源３０１からの光の波長域とは異なる。ここでは、蛍光体層１０２ａ、１０２ｂは黄色波長域の蛍光、蛍光体層１０３ａ、１０３ｂは緑色波長域の蛍光を出射し、蛍光体層１０２ａ、１０２ｂ、１０３ａ、１０３ｂに入射する光に対して１８０度進行方向が変換される。つまり、蛍光は、凸レンズ３０８側に出射される。凸レンズ３０８に入射した蛍光は、凸レンズ３０７に入射し、平行光化される。平行光化した蛍光は、波長選択性ミラー３０６に入射する。
【００３４】
波長選択性ミラー３０６は、上述の通り、蛍光の光軸に対して４５度の角度で配置されている。また、波長選択性ミラー３０６は、半導体レーザー光源３０１から出射光する青色光を透過し、蛍光体ホイール１の蛍光体層１０２ａ、１０２ｂ、１０３ａ、１０３ｂから出射する波長域の蛍光を反射する特性を有している。したがって、波長選択性ミラー３０６に入射した蛍光は、反射して、進行方向が９０度変更し、凸レンズ３２０に入射する。
【００３５】
次に、凸レンズ３０７及び凸レンズ３０８によって収束した半導体レーザー光源３０１からの光が、時系列で開口部１０５ａに照射された場合を、以下に説明する。
【００３６】
開口部１０５ａに照射された半導体レーザー光源３０１からの励起光は、そのまま、開口部１０５ａを通過し、凸レンズ３０９及び凸レンズ３１０に順次入射し平行光化される。平行光化した半導体レーザー光源３０１からの励起光は、反射ミラー３１１、凸レンズ３１２、反射ミラー３１３、凸レンズ３１４と凸レンズ３１５を通過して、光の進行方向が１８０度変更され、蛍光体ホイール１の他方の開口部１０５ｂに集光される。開口部１０５ｂに半導体レーザー光源３０１からの励起光が照射された場合も、開口部１０５ｂを通過後は、同様に進行し、開口部１０５ａに集光される。
【００３７】
他方の開口部１０５ｂに集光された半導体レーザー光源３０１の光は、そのまま、開口部１０５ｂを通過し、その後、凸レンズ３１６及び凸レンズ３１７に順次入射し、平行光化される。平行光化された光は、反射ミラー３１８、凸レンズ３１９を通過し、その進行方向が９０度変更し、波長選択性ミラー３０６に入射する。
【００３８】
波長選択性ミラー３０６は、上述の通り、凸レンズ３１９を出射した半導体レーザー光源３０１の光の光軸に対して４５度の角度で配置されている。また、波長選択性ミラー３０６は、半導体レーザー光源３０１からの青色光を透過し、蛍光体ホイール１の蛍光体層１０２ａ、１０２ｂ、１０３ａ、１０３ｂからの蛍光の波長域の光を反射する特性を有している。したがって、波長選択性ミラー３０６に入射した凸レンズ３１９を出射した半導体レーザー光源３０１の光は、波長選択性ミラー３０６を透過して、そのまま出射し、凸レンズ３２０に入射する。
【００３９】
次に、凸レンズ３２０に入射した集光された光の挙動について説明する。
【００４０】
蛍光体ホイール１からの蛍光と、蛍光体ホイール１の２つの開口部を通過してきた半導体レーザー光源３０１からの光が、時系列で出射され、カラーホイール２に入射する。
【００４１】
以下においては、半導体レーザー光源３０１からの光は、蛍光体ホイール１上を、蛍光体層１０２ａ、蛍光体層１０３ａ、開口部１０５ａ、蛍光体層１０２ｂ、蛍光体層１０３ｂ、開口部１０５ｂの順で照射し、１周するものとして説明をする。
【００４２】
上記の順番で、蛍光体ホイール１上を半導体レーザー光源３０１からの収束光が移動した場合には、黄色、緑色、青色、黄色、緑色、青色の順番で凸レンズ３２０から光が出射する。カラーホイール２と蛍光体ホイール１とは、図示しない同期回路で、蛍光体ホイール１上に、半導体レーザー光源３０１からの収束光が、蛍光体層１０２ａに当たり始めたタイミングと、その収束光が波長変換され蛍光体層１０２ａから出射する黄色光がカラーホイール２上の赤色光透過領域２０１ａに入射するタイミングが一致するように回転位相が同期されている。そのため、凸レンズ３２０からの黄色光は、最初にカラーホイール２の赤色光透過領域２０１ａに入射し、赤色光透過領域２０１ａを透過して、赤色光となってカラーホイール２から出射する。
【００４３】
続いて、蛍光体ホイール１の蛍光体層１０２ａの角度に対して、カラーホイール２の赤色光透過領域２０１ａの角度が小さく設定されているので、カラーホイール２の回転により赤色光透過領域２０１ａが終了して、蛍光体ホイール１からの光が全波長透過領域２０２ａに入射した時点では、蛍光体ホイール１上での半導体レーザー光源３０１の収束光はまだ、蛍光体層１０２ａ上にある。そのため、凸レンズ３２０からはまだ黄色光が出射されており、その黄色光はカラーホイール２の全波長透過領域２０２ａを通過し、カラーホイール２から出射する。
【００４４】
続いて、蛍光体ホイール１の回転により蛍光体層１０２ａの領域が終了し、蛍光体層１０３ａに励起光の照射が開始した時点では、蛍光体ホイール１からは緑色の蛍光が出射され、凸レンズ３２０からは緑色光が出射される。このとき、この緑色光は、カラーホイール２の全波長透過領域２０２ａを通過するため、そのまま緑色光が、カラーホイール２から出射する。
【００４５】
さらに、蛍光体ホイール１の回転により蛍光体層１０３ａの領域が終了し、半導体レーザー光源３０１からの光が開口部１０５ａに入射する時点からは、凸レンズ３２０からは、半導体レーザー光源３０１からの青色光がそのまま出射される。その時の凸レンズ３２０からの光の照射域は、カラーホイール２の全波長透過領域２０２ａであるので、凸レンズ３２０からの青色光はそのまま全波長透過領域２０２ａを通過し、カラーホイール２からは、青色光が出射する。
【００４６】
図３は、図１Ａの蛍光体ホイール１と図２のカラーホイール２とを中心線（一点鎖線）で重ね合わせて回転位相を合わせ、カラーホイール２から出射される色光の順番を説明するための図である。蛍光体ホイール１とカラーホイール２が同期して半周すると、赤色、黄色、緑色、青色の光が時系列で出射し、１周すると、赤色、黄色、緑色、青色、赤色、黄色、緑色、青色の順で、光が時系列でカラーホイール２から出射することになる。
【００４７】
図４に戻り、カラーホイール２から出射した光は、ロッドインテグレータ３２１に入射し、ロッドインテグレータ３２１の内面で多重反射することで、均一性が改善された光が、ロッドインテグレータ３２１の出射端から出射する。
【００４８】
なお、図１Ａに記載した蛍光体ホイール１は、２つの開口部を有するように記載されているが、点対称に同一角度の開口部を有するのであれば、開口部の数は２つには限定されない。
【００４９】
また、図１Ａに記載した蛍光体ホイール１は黄色の蛍光を発光する蛍光体層１０２ａ、１０２ｂと緑色の蛍光を発光する蛍光体層１０３ａ、１０３ｂとで構成されているが、この構成に限定される必要はなく、単一の波長の光を発光する蛍光体のみで構成されても良い。また、蛍光体ホイール１の２つの非開口部はそれぞれ異なる波長の蛍光を発光する蛍光体で構成されてもよい。また、それぞれの非開口部が２つの異なる波長の蛍光を発光する蛍光体で構成されているが、２つに限らず、それ以上の蛍光体で構成されても良い。
【００５０】
併せて、蛍光体ホイール１の構成に応じて、カラーホイール２の構成も適宜変更することが可能であり、図２に記載の構成に限定されない。
【００５１】
［１−１−２．効果］
図４を用いて、本開示の効果について説明する。
【００５２】
図４に示すように蛍光体ホイール１が、青色の励起光が進行する光学系（波長選択性ミラー３０６〜凸レンズ３１９からなる導光系）の内部に配置されているので、青色の励起光が進行する光学系の外側に配置されている方式に比較して、光源装置全体としての小型化が図れる。
【００５３】
［１−２−１．光源装置を用いた投写型映像表示装置］
次に、実施の形態１の光源装置を用いた投写型映像表示装置について、図５を用いて説明する。図５は、実施の形態１に係る投写型映像表示装置４の構成を示す図である。
【００５４】
投写型映像表示装置４は、光源装置３を備える。また、リレーレンズ４０１、４０２、４０３と全反射プリズム４０４と、ＤＭＤ（Ｄｉｇｉｔａｌ  Ｍｉｃｒｏｍｉｒｒｏｒ  Ｄｅｖｉｃｅ)４０６と、投写レンズ４０７を備える。
【００５５】
以下では、光源装置３の詳細に関しては省略し、ロッドインテグレータ３２１を出射した、赤色、黄色、緑色、青色、赤色、黄色、緑色、青色の光の挙動について説明する。
【００５６】
ロッドインテグレータ３２１を出射した各色の光は、リレーレンズ４０１、４０２、４０３の３枚の凸レンズで構成されたリレーレンズ系によってＤＭＤ４０６に写像される。
【００５７】
リレーレンズ系を構成するリレーレンズ４０１、４０２、４０３を通過した光は、全反射プリズム４０４に入射する。全反射プリズム４０４は、２つのガラスブロックを有し、２つのブロックの間には微小ギャップ４０５が設けられている。全反射プリズム４０４に入射した光は、微小ギャップに４０５において反射し、ＤＭＤ４０６に入射する。
【００５８】
ＤＭＤ４０６は、図示されない同期回路と映像回路によって、蛍光体ホイール１、カラーホイール２と同期を取ると同時に駆動され、画像情報に対応して各画素のオン／オフ（ＯＮ／ＯＦＦ）が切り替えられる。これにより、ＤＭＤ４０６のそれぞれの画素に入射した光の反射方向が画素ごとに変わる。
【００５９】
ＤＭＤ４０６において、ＯＮ状態の画素によって反射された光は、全反射プリズム４０４に入射し、微小ギャップ４０５には臨界角よりも小さい角度で入射し、そのまま通過する。微小ギャップ４０５を通過した光は、投写レンズ４０７によって、図示されないスクリーンに拡大投写される。
【００６０】
［１−２−２．効果など］
上述の投写型映像表示装置４においては、光源装置３を搭載することによって、装置の小型化が図れる。
【産業上の利用可能性】
【００６１】
本開示は、投写型映像表示装置の光源装置に適用可能である。
【符号の説明】
【００６２】
１    蛍光体ホイール
２    カラーホイール
３    光源装置
４    投写型映像表示装置
１０１    基板
１０２ａ、１０２ｂ、１０３ａ、１０３ｂ    蛍光体層
１０４    接着層
１０５ａ、１０５ｂ    開口部
１０６、２０３    モータ
１１１    反射膜
１２１    蛍光体粒子
１２２    反射防止膜
１４１    含有粒子
２００    ガラス基板
２０１ａ、２０１ｂ    赤色光透過領域
２０２ａ、２０２ｂ    全波長透過領域
３０１    半導体レーザー光源
３０２    コリメータレンズ
３０３    凸レンズ
３０４    拡散板
３０５    凹レンズ
３０６    波長選択性ミラー
３０７、３０８、３０９、３１０、３１２、３１４、３１５、３１６、３１７、３１９、３２０    凸レンズ
３１１、３１３、３１８    反射ミラー
３２１    ロッドインテグレータ
４０１、４０２、４０３    リレーレンズ
４０４    全反射プリズム
４０５    微小ギャップ
４０６    ＤＭＤ
４０７    投写レンズ
【図１Ａ】
2020046654.tif 000003
【図１Ｂ】
2020046654.tif 000004
【図２】
2020046654.tif 000005
【図３】
2020046654.tif 000006
【図４】
2020046654.tif 000007
【図５】
2020046654.tif 000008